(57)【要約】      （修正有）【課題】使用者がカーテンのメンテナンスまたは取り替えを容易に行うことができるカーテンの吊掛構造を提供する。【解決手段】芯地テープ２０と、少なくとも１組の連結構造１０Ａとを備え、芯地テープに少なくとも１つの穿孔３１が形成され、連結構造によってカーテン本体が連結される。また穿孔３１に吊り環３０が設置され、芯地テープの下縁にカーテン本体を連結するための連結構造を設けると共に、芯地テープの側縁に、側方へ隣接する吊掛構造を連結するための連結構造を設けてもよい。連結構造はスライドファスナーより成り、縫合部１３と、ファスナーエレメント１１と、ファスナースライダー１２とから構成されるのが好ましい。【選択図】図１
0003195914.tif 000002
【実用新案登録請求の範囲】
【請求項１】
芯地テープと、少なくとも１組の連結構造とを備え、前記芯地テープに少なくとも１つの穿孔が形成され、前記連結構造によってカーテン本体が連結されることを特徴とする、カーテンの吊掛構造。
【請求項２】
前記少なくとも１つの穿孔に吊り環が設置され、前記芯地テープの下縁にカーテン本体を連結するための連結構造を設け、前記芯地テープの側縁に、側方へ隣接する吊掛構造を連結するための連結構造を設けてあることを特徴とする、請求項１に記載のカーテンの吊掛構造。
【請求項３】
前記連結構造はスライドファスナーより成り、前記スライドファスナーは、縫合部と、ファスナーエレメントと、ファスナースライダーとから構成されることを特徴とする、請求項１に記載のカーテンの吊掛構造。
【請求項４】
前記縫合部は、前記芯地テープの下縁に縫合されることを特徴とする、請求項３に記載のカーテンの吊掛構造。
【請求項５】
前記芯地テープの表面に布片が設置され、前記布片によって前記連結構造が遮蔽されていることを特徴とする、請求項３に記載のカーテンの吊掛構造。
【請求項６】
カーテン本体に取り付けられる芯地テープと、それぞれ前記芯地テープの上縁及び下縁に接合されると共に、互いに着脱可能に連結される上連結部及び下連結部から成る連結構造とを備え、前記上連結部を前記下連結部と連結することにより、前記芯地テープの内側に、カーテンレールを挿通するための収容空間が形成されることを特徴とする、カーテンの吊掛構造。
【請求項７】
前記連結部はスライドファスナーであることを特徴とする、請求項６に記載のカーテンの吊掛構造。
【請求項８】
前記芯地テープの側縁に、側方へ隣接する吊掛構造と連結するための連結構造を設けてあることを特徴とする、請求項７に記載のカーテンの吊掛構造。
【請求項９】
前記芯地テープに、前記芯地テープをカーテン本体に固定するための少なくとも１つの連結部が設置されていることを特徴とする、請求項７に記載のカーテンの吊掛構造。
【請求項１０】
前記芯地テープに、カーテン本体を連結するための連結部が設置されていることを特徴とする、請求項７に記載のカーテンの吊掛構造。
【請求項１１】
複数組の連結構造を備え、前記複数組の連結構造はカーテン本体に直接取り付けられ、前記複数組の連結構造は、互いに係合可能な上連結部及び下連結部を含み、前記下連結部を前記上連結部と係合した時、カーテンを吊り下げるための吊り棒を挿通可能な筒状の収容空間が形成されることを特徴とする、カーテンの吊掛構造。
【考案の詳細な説明】
【技術分野】
【０００１】
本考案は、取り付け・取り外しが容易なカーテンの吊掛構造に関する。
【背景技術】
【０００２】
現在市販されているカーテンは、その上縁に沿って吊掛部を一体に形成したものがほとんどであり、カーテンの吊掛部に様々な形式の吊掛構造を採用してある。
例えば、カーテン布の頂部を折り曲げてミシン縫いしてプリーツ（ひだ）部を形成し、プリーツ部に取り付けられたフックをカーテンレールに引掛けて移動可能としたものや、直接にカーテンに棒状のレールを通して滑動可能としたものが挙げられる。どんな形式のものであっても、その目的は、いずれもカーテンをレールから懸吊し、使用者がカーテンを引っ張ることによって吊掛部がレール上を移動し、これに伴って、カーテンを展開したり、折り畳んだりすることである。
しかしながら、カーテンと一体に形成された吊掛部を介してレールから吊り下げた構造では、カーテンの面積が大きくて重量が重く、生産工程が複雑で手間がかかり、かつ施工取付が容易ではないという問題があった。
【０００３】
また、カーテン本体と吊掛部とを別々に製作し、使用者が異なる色柄模様の吊掛部を選択してカーテン本体に組み合わせることができるカーテンが提案されている。
このカーテンは、視覚上の豊富さを増加させることができ、かつ吊掛部を単独製作するため、一体成形のカーテンのように、製作時にカーテンに孔を形成して吊り環を設置するなどの複雑な手順を省くことができ、カーテン本体を吊掛部に縫合するだけで、カーテン全体を完成することができ、カーテン業者にとって生産の利便性を大幅に向上させることができる。
しかし、このようなカーテンでは、取付後にカーテンをレールから脱着しようとする場合、相当の体力が要求されるばかりか、手間もかかる。そのため、取り外して、新しいカーテンと取り替えたり、又は洗浄するのは非常に面倒である。カーテンの洗浄後においても、手間と多大な労力を重ねてカーテンをレールから吊り下げる必要があるため、使用者にとってメンテナンス作業が簡単とはいえない。
【考案の概要】
【考案が解決しようとする課題】
【０００４】
本考案が解決しようとする課題は、上述の問題を解決し、使用者がカーテンのメンテナンスまたは取り替えを容易に行うことができるカーテンの吊掛構造を提供することにある。
【課題を解決するための手段】
【０００５】
本考案のカーテンの吊掛構造は、芯地テープと、少なくとも１組の連結構造とを備え、前記芯地テープに少なくとも１つの穿孔が形成され、前記連結構造によってカーテン本体が連結される。
前記少なくとも１つの穿孔に吊り環が設置され、前記芯地テープの下縁にカーテン本体を連結するための連結構造を設け、前記芯地テープの側縁に、側方へ隣接する吊掛構造を連結するための連結構造を設けてもよい。
前記連結構造はスライドファスナーより成り、前記スライドファスナーは、縫合部と、ファスナーエレメントと、ファスナースライダーとから構成されることがある。
前記縫合部は、前記芯地テープの下縁に縫合される。
前記芯地テープの表面に布片を設置し、前記布片によって前記連結構造を遮蔽するとよい。
【０００６】
或いは、本考案のカーテンの吊掛構造は、カーテン本体に取り付けられる芯地テープと、それぞれ前記芯地テープの上縁及び下縁に接合されると共に、互いに着脱可能に連結される上連結部及び下連結部から成る連結構造とを備え、前記上連結部を前記下連結部と連結することにより、前記芯地テープの内側に、カーテンレールを挿通するための収容空間が形成される。
前記連結部はスライドファスナーとすることがある。
前記芯地テープの側縁に、側方へ隣接する吊掛構造と連結するための連結構造を設けるとよい。
前記芯地テープに、前記芯地テープをカーテン本体に固定するための少なくとも１つの連結部を設置してもよい。
前記芯地テープに、カーテン本体を連結するための連結部を設置してもよい。
【０００７】
または、本考案のカーテンの吊掛構造は、複数組の連結構造を備え、前記複数組の連結構造はカーテン本体に直接取り付けられ、前記複数組の連結構造は、互いに係合可能な上連結部及び下連結部を含み、前記下連結部を前記上連結部と係合した時、カーテンを吊り下げるための吊り棒を挿通可能な筒状の収容空間が形成される。
【考案の効果】
【０００８】
本考案によれば、簡単にカーテンを取り付け・取り外しできるので、カーテンのメンテナンスや交換が容易である。
【図面の簡単な説明】
【０００９】
【図１】本考案の第１実施例を示すカーテンの吊掛構造の分解斜視図である。
【図２】本考案の第１実施例を示すカーテンの吊掛構造の斜視図である。
【図３】本考案の第１実施例に係るカーテンの要部分解正面図である。
【図４】本考案の第２実施例を示すカーテンの吊掛構造の斜視図である。
【図５Ａ】本考案の第３実施例に係るカーテンのカーテンレールから外した状態における斜視図である。
【図５Ｂ】本考案の第３実施例に係るカーテンのカーテンレール吊掛状態における斜視図である。
【図６Ａ】本考案の第４実施例を示すカーテンの吊掛構造のカーテンレールから外した状態における斜視図である。
【図６Ｂ】本考案の第４実施例を示すカーテンの吊掛構造のカーテンレール吊掛状態における斜視図である。
【図７Ａ】本考案の第５実施例を示すカーテンの吊掛構造のカーテンレールから外した状態における斜視図である。
【図７Ｂ】本考案の第５実施例を示すカーテンの吊掛構造のカーテンレール吊掛状態における斜視図である。
【図８Ａ】本考案の第６実施例を示すカーテンの吊掛構造のカーテンレールから外した状態における斜視図である。
【図８Ｂ】本考案の第６実施例を示すカーテンの吊掛構造のカーテンレール吊掛状態における斜視図である。
【考案を実施するための形態】
【００１０】
本考案の第１実施例について、図１及び図２を参照して説明する。
本考案のカーテンの吊掛構造１は、連結構造と、芯地テープ２０と、布片６０とを備え、これらを結合することにより形成される。
芯地テープ２０の適当な位置に穿孔３１が形成される。
連結構造は、芯地テープ２０の下縁に接合された下連結部１０Ａを備える。連結構造は、下連結部１０Ａと、カーテン本体の上縁に設置された連結部とから成り、カーテン本体を着脱可能に連結するために用いられる。また、布片６０が芯地テープ２０の表面に設置されることで、吊掛構造１全体は、さらに美観が向上し、また連結構造を遮蔽することができる。
【００１１】
布片６０には、芯地テープ２０の穿孔３１と対応する位置に、吊掛構造１をカーテンレールへ取り付けるための吊り環３０が設置される。
下連結部１０Ａは、スライドファスナーより成り、縫合部１３と、ファスナーエレメント１１と、ファスナースライダー１２とを備える。
縫合部１３は、芯地テープ２０の下縁に縫合固定され、カーテンの下方全体の重量を支持する。
ファスナーエレメント１１は、下方のカーテン本体を連結するために用いられ、かつ下方のカーテン本体の上縁にも、吊掛構造１のファスナーエレメント１１と係合可能なファスナーエレメントが対応して設置される。
また、ファスナースライダー１２は、カーテン本体のファスナーエレメントと吊掛構造１のファスナーエレメント１１を噛合したり、分離したりする離合動作に用いられる。
【００１２】
なお、図３に示すように、芯地テープ２０の上縁及び下縁に、それぞれカーテン本体４０を連結するための上連結部１０Ｄ及び下連結部１０Ａを設けたカーテン連結部を用い、複数のカーテン本体４０を上下に結合することにより、カーテンの長さを延伸することができる。
【００１３】
図４は、本考案の第２実施例を示す。
第２実施例に係るカーテンの吊掛構造は、複数組の連結構造と、芯地テープ２０Ａとを備える。
芯地テープ２０Ａの適当位置に穿孔３１が形成される。芯地テープ２０Ａの穿孔３１の位置に、吊掛構造をカーテンレールへ取り付けるための吊り環３０が設置される。
連結構造を構成する下連結部１０Ａは、芯地テープ２０Ａの下縁に接合され、カーテン本体を着脱可能に連結するために用いられる。
左連結部１０Ｂ及び右連結部１０Ｃは、芯地テープ２０Ａの側縁に接合され、側方に隣接する吊掛構造に着脱可能に連結することができる。例えば、左連結部１０Ｂを介して、隣接する芯地テープ２０Ｂと連結されることで、カーテンの幅を延伸することができる。
【００１４】
また、連結構造は、スライドファスナーであり、縫合部１３と、ファスナーエレメント１１と、ファスナースライダー１２とを備える。
縫合部１３は、芯地テープ２０Ａの辺縁に縫合固定される。
ファスナーエレメント１１は、下方のカーテン本体または左右に隣接する吊掛構造に対応して連結するために用いられ、下方のカーテン本体の上縁及び左右の吊掛構造の側縁にも、ファスナーエレメント１１と噛合可能なファスナーエレメントが対応して設置される。
また、ファスナースライダー１２は、カーテン本体の上縁及び隣接する吊掛構造の側縁に設けられたファスナーエレメントとファスナーエレメント１１を噛合したり、分離したりする離合動作に用いられる。
【００１５】
図５Ａ及び図５Ｂは本考案の第３実施例を示す。
第３実施例のカーテンの吊掛構造は、同様に、連結構造と、芯地テープ２０とを備える。
芯地テープ２０の適当位置に、芯地テープ２０をカーテン本体４０に固定するための連結部２１が接合されている。
芯地テープ２０の下縁及び上縁には、互いに着脱可能に噛合する下連結部１０Ａと上連結部１０Ｄがそれぞれ設けられる。下連結部１０Ａ及び上連結部１０Ｄは、ファスナースライダー１２を介して離合されるファスナーエレメント１１をそれぞれ有し、縫合部１３を利用して芯地テープ２０に固定される。また、下連結部１０Ａ及び上連結部１０Ｄを噛合することにより、芯地テープ２０は筒状に巻かれ、その内部に吊り棒５０を挿通できる収納空間が形成される。このようにして、カーテン本体４０は、吊掛構造により吊り棒５０に取り付けられる。
第３実施例によれば、吊掛構造がカーテン本体４０の後方に隠蔽されるので、全体の美観性が増すと同時に、下連結部１０Ａ及び上連結部１０Ｄの簡易着脱を利用するだけでカーテンを吊り棒５０上に取り付けたり、取り外したりすることができ、使用上非常に便利である。
【００１６】
図６Ａ及び図６Ｂは、本考案の第４実施例を示す。
第４実施例のカーテンの吊掛構造は、連結構造を増設してあり、第３実施例のものに加えて、芯地テープ２０の左右側部にそれぞれ左連結部１０Ｂ及び右連結部１０Ｃを設置してある。左連結部１０Ｂ及び右連結部１０Ｃは、側方に隣接する吊掛構造と着脱可能に連結されることで、カーテンの幅さをエンドレスに延伸することができる。
【００１７】
図７Ａ及び図７Ｂは本考案の第５実施例を示す。
第５実施例のカーテンの吊掛構造は、複数組の連結構造と、芯地テープ２０とを備え、これらを結合することにより形成される。
芯地テープ２０に設置された下連結部１０Ａ及び上連結部１０Ｄは、それぞれファスナーエレメント１１を有し、また縫合部１３を利用して芯地テープ２０に固定される。下連結部１０Ａと上連結部１０Ｄのファスナーエレメント１１を、ファスナースライダー１２を介して互いに噛合することにより、吊り棒５０を挿通するための筒状の収容空間が形成される。
また芯地テープ２０の左右側部に設置される左連結部１０Ｂ及び右連結部１０Ｃは、側方に隣接する吊掛構造と連結されることで、カーテンの幅さをエンドレスに延伸することができる。
さらに、芯地テープ２０の下縁に、カーテン本体４０を着脱可能に連結するための連結部１０Ｅが設置される。
そして、カーテン本体４０は、吊掛構造により吊り棒５０に取り付けられる。
【００１８】
図８Ａ及び図８Ｂは、本考案の第６実施例を示す。
第６実施例では、下連結部１０Ａ及び上連結部１０Ｄがカーテン本体４０に直接固定される。また、ファスナースライダー１２で下連結部１０Ａ及び上連結部１０Ｄのファスナーエレメント１１を互いに噛合することにより、吊り棒５０が挿通される筒状の収容空間が形成される。このようにして、カーテン本体４０は、吊掛構造により吊り棒５０に取り付けられる。
【００１９】
第２実施例において、芯地テープは、カーテンを接ぎ合せるのに用いられ、消費者が複数のカーテンを自分自身で組み立てる（ＤＩＹ）ことができる。
また、吊掛構造とカーテン本体が分解しやすいため、モジュール化による組立ての概念が生じ、カーテン全体の生産手順においても、または後日使用するたびの清掃・メンテナンスにおいても、作業が簡素化されることが理解されるだろう。
さらに、吊掛構造が分離しやすいので、消費者が、カーテンの色柄選択を行う際に美的感覚を発揮し易く、ファスナーエレメントを用いたことよって、消費者が容易に吊掛構造とカーテン本体とを組み合わせて自分自身で組み立てる（ＤＩＹ）ことができる。
なお、布片は、選択可能な付属品であり、消費者の美観に対する要求に応じて、生産時に付加するかどうかを決定すればよい。
【００２０】
以上は、本考案の実施例の説明であって、本考案の権利範囲を限定するものではなく、吊掛構造の各部材の連結構造の変更や同等の機能を有する部材への置き換えはいずれも本考案の権利範囲に含まれる。
【符号の説明】
【００２１】
１：吊掛構造
１０Ａ：下連結部
１０Ｂ：左連結部
１０Ｃ：右連結部
１０Ｄ：上連結部
１０Ｅ：カーテン連結部
１１：ファスナーエレメント
１２：ファスナースライダー
１３：縫合部
２０（Ａ、Ｂ）：芯地テープ
２１：連結部
３０：吊り環
３１：穿孔
４０：カーテン本体
５０：吊り棒
６０：布片
【図１】
0003195914.tif 000003
【図２】
0003195914.tif 000004
【図３】
0003195914.tif 000005
【図４】
0003195914.tif 000006
【図５Ａ】
0003195914.tif 000007
【図５Ｂ】
0003195914.tif 000008
【図６Ａ】
0003195914.tif 000009
【図６Ｂ】
0003195914.tif 000010
【図７Ａ】
0003195914.tif 000011
【図７Ｂ】
0003195914.tif 000012
【図８Ａ】
0003195914.tif 000013
【図８Ｂ】
0003195914.tif 000014